(57)【要約】【課題】オゾン発生器を適切に保護することができ、かつファンの停止時に多くのオゾンが発生する虞を簡易な手段によって的確に防止することが可能なオゾン発生器を備えた空調機を提供する【解決手段】オゾン発生器４の本体部４０は、空調機Ａの通気路５の外部に配されており、オゾン発生器４のオゾン流出口４２は、通気路５のうち、ファン３が駆動したときにこのオゾン流出口４２に負圧を生じさせる箇所に配されており、前記負圧が生じたときには、この負圧によってオゾン発生器４の空気流入口４１への空気流入がなされてオゾン流出口４２にオゾンが供給される一方、前記負圧が生じていないときには、空気流入口４１への空気流入が停止するように構成されている。【選択図】  図１
2009047386.tif 000002
【特許請求の範囲】
【請求項１】
吸気口および吹出口が形成されている通気路と、
前記吸気口から前記通気路に空気を流入させて、この空気を前記吹出口から吹き出させるファンと、
前記通気路に流入した空気を調整するための調整手段と、
オゾン発生器と、
を具備している、オゾン発生器を備えた空調機であって、
前記オゾン発生器としては、空気流入口、この空気流入口に流入した空気からオゾンを生成するオゾン生成部を有する本体部、および生成されたオゾンを流出させるためのオゾン流出口を有するものが用いられ、
前記オゾン発生器の本体部は、前記通気路の外部に配されており、
前記オゾン流出口は、前記通気路のうち、前記ファンが駆動したときにこのオゾン流出口に負圧を生じさせる箇所に配されており、
前記負圧が生じたときには、この負圧によって前記オゾン発生器の空気流入口への空気流入がなされて前記オゾン流出口にオゾンが供給される一方、
前記負圧が生じていないときには、前記空気流入口への空気流入が停止するように構成されていることを特徴とする、オゾン発生器を備えた空調機。
【請求項２】
前記オゾン流出口は、前記ファンおよび前記調整手段よりも空気流れ方向の上流位置に設けられている、請求項１に記載のオゾン発生器を備えた空調機。
【請求項３】
前記オゾン発生器は、前記オゾン生成部が設けられた空間部に繋がった第１のチューブを備えており、この第１のチューブの先端開口が、前記オゾン流出口とされている、請求項１または２に記載のオゾン発生器を空調機。
【請求項４】
前記オゾン発生器は、前記オゾン生成部が設けられた空間部に繋がった第２のチューブを備えており、この第２のチューブの先端開口が、前記空気流入口とされており、
前記第２のチューブは、この空調機の外部に引き出されており、この空調機が浴室などの室内に設置されたときに前記空気流入口を室外に配置可能な構成とされている、請求項１ないし３のいずれかに記載のオゾン発生器を備えた空調機。
【請求項５】
前記ファンおよび前記調整手段は、ともに所定のケーシング内の幅方向中間部に収容され、
前記ケーシング内には、前記ファンの駆動用モータが前記ファンの一側方に配されて収容され、かつ運転制御用の電装部が前記ファンの他側方に配されて収容されており、
前記オゾン発生器は、前記駆動用モータの上方または下方に配されて前記ケーシング内に収容されている、請求項１ないし４のいずれかに記載のオゾン発生器を備えた空調機。
【発明の詳細な説明】
【技術分野】
【０００１】
本発明は、オゾン発生器を備えた浴室暖房機などの空調機に関する。
【背景技術】
【０００２】
たとえば、従来の浴室暖房機としては、オゾン発生器を内部に組み込み、このオゾン発生器によって発生されたオゾンが浴室暖房機の吹出口から吹き出されるように構成されたものがある（たとえば、特許文献１，２を参照）。このような構成によれば、浴室の各所や、浴室に干した洗濯物にオゾンを作用させて、殺菌処理などを行なうことができる。
【０００３】
しかしながら、従来において、オゾン発生器を浴室暖房機に組み込む場合には、ファンの駆動によって空気の流入および排出が行なわれる通気路に、オゾン発生器を配置させている。このため、次に述べるような不具合を生じていた。
【０００４】
第１に、オゾン発生器は、たとえば放電用の電極や、この電極に高電圧を印加するための電源回路などの電気部品を有している。このため、このオゾン発生器を空気流量の多い浴室暖房機の通気路に配置することは余り好ましいものではなく、オゾン発生器の保護に欠けるという不具合があった。とくに、浴室暖房機は、通気路に流入した空気を加熱するための加熱手段を備えており、オゾン発生器を通気路に配置させると、このオゾン発生器も加熱されるために、より好ましくない。また、浴室の空気は湿気を多く含んでいる場合が多いため、オゾン発生器を通気路に配置させると、この湿気がオゾン発生器に悪影響を与える虞もある。
【０００５】
第２に、ファンの駆動とオゾン発生器のオゾン発生動作とは直接的には連動しておらず、ファンが停止している場合であっても、オゾン発生器が駆動状態にあれば、オゾン発生器はオゾンを発生させ続けることとなる。これでは、そのオゾンが浴室暖房機から浴室に漏れ出すこととなる。オゾンは、独特の臭気をもち、また高濃度になると有害化するため、前記したような事態は、適切に防止されることが望まれる。
【０００６】
【特許文献１】特開平１１−１４１１６号公報
【特許文献２】特開２００４−２８４４９号公報
【発明の開示】
【発明が解決しようとする課題】
【０００７】
本発明は、このような事情のもとで考え出されたものであって、オゾン発生器を適切に保護することができ、かつファンの停止時に多くのオゾンが発生する虞を簡易な手段によって的確に防止することが可能なオゾン発生器を備えた空調機を提供することを、その課題としている。
【課題を解決するための手段】
【０００８】
上記の課題を解決するため、本発明では、次の技術的手段を講じている。
【０００９】
本発明により提供されるオゾン発生器を備えた空調機は、吸気口および吹出口が形成されている通気路と、前記吸気口から前記通気路に空気を流入させて、この空気を前記吹出口から吹き出させるファンと、前記通気路に流入した空気を調整するための調整手段と、オゾン発生器と、を具備している、オゾン発生器を備えた空調機であって、前記オゾン発生器としては、空気流入口、この空気流入口に流入した空気からオゾンを生成するオゾン生成部を有する本体部、および生成されたオゾンを流出させるためのオゾン流出口を有するものが用いられ、前記オゾン発生器の本体部は、前記通気路の外部に配されており、前記オゾン流出口は、前記通気路のうち、前記ファンが駆動したときにこのオゾン流出口に負圧を生じさせる箇所に配されており、前記負圧が生じたときには、この負圧によって前記オゾン発生器の空気流入口への空気流入がなされて前記オゾン流出口にオゾンが供給される一方、前記負圧が生じていないときには、前記空気流入口への空気流入が停止するように構成されていることを特徴としている。
【００１０】
このような構成によれば、オゾン発生器の本体部は、空調機の通気路の外部に配されているために、この本体部が通気路を流通する大流量の空気の影響を受けたり、あるいは調整手段による加熱などの影響を受けないようにして、その保護を図ることができる。さらに、重要な効果として、本発明によれば、ファンが駆動しているときには、オゾン流出口に負圧が生じ、この負圧の作用によってオゾン流出口にオゾンが供給されるのに対し、ファンの駆動が停止しているときには、空気流入口への空気流入が停止されるために、オゾン生成部には新たな空気供給はなされないこととなる。このため、仮に、このオゾン発生器がオン状態にあったとしても、オゾン生成部におけるオゾンの生成は抑制される。したがって、ファンの停止時においては、オゾンが通気路に供給されないばかりか、オゾン発生器の本体部の周辺に多くのオゾンが充満するようなこともなくなる。その結果、ファンの停止時に空調機から多くのオゾンが漏れ出すことが的確に防止される。
【００１１】
本発明の好ましい実施の形態においては、前記オゾン流出口は、前記ファンおよび前記調整手段よりも空気流れ方向の上流位置に設けられている。
【００１２】
このような構成によれば、ファンおよび調整手段にオゾンを作用させて、これらに殺菌処理を施し、衛生的なものとすることができる。
【００１３】
本発明の好ましい実施の形態においては、前記オゾン発生器は、前記オゾン生成部が設けられた空間部に繋がった第１のチューブを備えており、この第１のチューブの先端開口が、前記オゾン流出口とされている。
【００１４】
このような構成によれば、オゾン流出口を空調機の通気路に配置させつつ、オゾン発生器の本体部については、その位置からかなり離れた箇所に配置することが可能となる。したがって、オゾン発生器の取り付けに関する融通性が大きくなる。
【００１５】
本発明の好ましい実施の形態においては、前記オゾン発生器は、前記オゾン生成部が設けられた空間部に繋がった第２のチューブを備えており、この第２のチューブの先端開口が、前記空気流入口とされており、前記第２のチューブは、この空調機の外部に引き出されており、この空調機が浴室などの室内に設置されたときに前記空気流入口を室外に配置可能な構成とされている。
【００１６】
このような構成によれば、オゾン発生器の空気流入口を室外に配置させて、この室外の空気をオゾン生成部に送り込むことが可能となる。たとえば、空調機が浴室に設置されている場合には、この浴室の空気が多量の湿気を含んでいる場合があるため、これをそのままオゾン生成部に送り込むことは余り好ましくない場合があり得る。前記構成によれば、そのような事態を好適に解消し得ることとなる。
【００１７】
本発明の好ましい実施の形態においては、前記ファンおよび前記調整手段は、ともに所定のケーシング内の幅方向中間部に収容され、前記ケーシング内には、前記ファンの駆動用モータが前記ファンの一側方に配されて収容され、かつ運転制御用の電装部が前記ファンの他側方に配されて収容されており、前記オゾン発生器は、前記駆動用モータの上方または下方に配されて前記ケーシング内に収容されている。
【００１８】
このような構成によれば、前記した各構成部品をケーシング内にスペース効率良く収容することができる。また、オゾン発生器と電装部との距離を長くとることができるために、電装部がオゾン発生器の放電などの影響を受け難くなる効果も得られる。
【００１９】
本発明のその他の特徴および利点は、添付図面を参照して以下に行なう発明の実施の形態の説明から、より明らかになるであろう。
【発明を実施するための最良の形態】
【００２０】
以下、本発明の好ましい実施の形態について、図面を参照して具体的に説明する。
【００２１】
図１〜図３は、本発明が適用されたオゾン発生器を備えた浴室暖房機の一例を示している。図１によく表われているように、本実施形態の浴室暖房機Ａは、浴室の壁部９０に取り付けて使用される壁掛け型であり、ケーシング１内に、熱交換器２、吸排気用のファン３、およびオゾン発生器４が収容された構成を有している。
【００２２】
ケーシング１は、合成樹脂製であり、浴室の壁部９０に取付板８を利用して取り付けられる。取付板８は、壁部９０にネジ体９１を用いて固定されるものである。ケーシング１の背面部には、取付板８の上部に係合される係合部１３と、ネジ体９２を用いて取付板８の下部に連結されるブラケット片部１４とが設けられている。ケーシング１の上壁部１０ａは、複数の吸気口５０を有する吸気グリルとされており、ファン３が駆動すると、浴室の空気が吸気口５０からケーシング１内に形成されている通気路５に流入するようになっている。この空気は、その後熱交換器２によって加熱された後に、ケーシング１の前面下部に設けられているルーバ５３の吹出口５３ａから浴室に吹き出す。熱交換器２は、たとえばファン３の周囲を囲む複数のブロック２０ａ〜２０ｃに区分されている。これらのブロック２０ａ〜２０ｃは、ともにフィン付きチューブを用いて構成されており、このチューブ内に温水が供給されることによって空気加熱が可能である。この熱交換器２は、本発明でいう調整手段の一例に相当する。
【００２３】
オゾン発生器４は、たとえば図３に示すように、本体部４０、空気流入口４１、およびオゾン流出口４２を有している。本体部４０は、放電用の電極を備えたオゾン生成部４０ａと、このオゾン生成部４０ａの電極に電圧を印加するための電源部（図示略）を内部に収容した筐体部４０ｂとを備えている。本体部４０には、オゾン生成部４０ａを囲むキャップ４３が装着されている。空気流入口４１は、このキャップ４３に設けられている。キャップ４３には、空気流入口４１とは別の開口部４４が設けられてチューブ４５（本発明でいう第１のチューブの一例に相当）が接続されている。このチューブ４５は、たとえば可撓性を有する合成樹脂製であり、このチューブ４５の先端開口が、オゾン流出口４２である。空気流入口４１とオゾン流出口４２とは、キャップ４３内の空間部およびチューブ４５の内部を介して互いに連通している。オゾン発生器４は、空気流入口４１からキャップ４３内に空気が流入すると、オゾン生成部４０ａによる放電作用によって前記空気からオゾンを生成し、これをオゾン流出口４２から流出させることが可能である。ただし、このオゾン発生器４自体は、空気流入口４１への空気流入や、オゾン流出口４２からのオゾン流出を自発的に行なうための吸排気手段を備えていない。
【００２４】
オゾン発生器４の本体部４０は、通気路５を避けるようにして、ケーシング１内に収容されている。より具体的には、図２に示すように、ケーシング１内のうち、左右幅方向の中間部には、熱交換器２とファン３とがケーシング１の前後厚み方向に重なり合わされて配置されている。ファン３は、左右一対の支持部材３０によってその両端部が支持されているが、このファン３の一側方には、駆動用モータＭが設けられている。ファン３の他側方には、この浴室暖房機Ａの各部の動作制御、信号処理制御、および電力供給などを行なうための電装部６が設けられている。オゾン発生器４は、ファン３の一側方のうち、モータＭの下方または上方に設けられている。電装部６は、比較的大きなサイズであるが、この電装部６をモータＭとは反対側に配置したことにより、モータＭの近辺にオゾン発生器４を取り付けるためのスペースが好適に確保されている。
【００２５】
オゾン発生器４のチューブ４５は、本体部４０の取り付け箇所から通気路５まで延びており、その先端のオゾン流出口４２は、通気路５のうち、ファン３および熱交換器２よりも上方に配されている。このオゾン流出口４２の配置箇所は、ファン３の吸い込み側であり、ファン３が駆動した際には、このオゾン流出口４２に負圧を生じる。一方、オゾン発生器４の空気流入口４１は、ケーシング１内のうち、本体部４０の取り付け箇所周辺部の空気を流入可能な配置である。
【００２６】
次に、前記した浴室暖房機Ａの作用について説明する。
【００２７】
まず、浴室暖房を行なうべくファン３を駆動させると、オゾン流出口４２に負圧を生じる。このため、オゾン発生器４の空気流入口４１にも負圧を生じることとなって、その周辺部の空気は、空気流入口４１に流入し、オゾン生成部４０ａに供給される。このことにより、オゾンが生成され、このオゾンはその後オゾン流出口４２から通気路５に供給される。その結果、このオゾンは、吹出口５３ａから吹き出される空気とともに、浴室に供給され、浴室の各所や洗濯物の殺菌処理効果などが得られる。オゾンは、熱交換器２やファン３が設けられている箇所を通過するために、これらの機器に対する殺菌処理効果も得られる。
【００２８】
次いで、ファン３の駆動を停止させた際には、オゾン流出口４２に負圧を生じないこととなるために、通気路５へのオゾンの流出は停止される。加えて、空気流入口４１に空気が流入することも停止されるために、オゾン生成部４０ａには、オゾン源となる新たな空気の供給はなされないこととなる。このため、仮に、オゾン生成部４０ａがオン状態のままであったとしても、多くのオゾンが新たに生成されることなはない。その結果、オゾン発生器４の本体部４０の周辺に多くのオゾンが発生して、これが浴室暖房機Ａの外部に漏れ出すといったことも適切に回避される。
【００２９】
オゾン発生器４の本体部４０は、既述したとおり、通気路５の外部に配された状態でケーシング１内に収容されている。このため、本体部４０が通気路５を流通する湿気などを多く含んだ空気に直接晒されないようにすることができる。また、熱交換器２によって高温に加熱されることも防止される。したがって、オゾン発生器４に故障などを生じ難くすることができる。さらに、オゾン発生器４と電装部６とは、ケーシング１の幅方向両端部に振り分けられて配置されており、それらの距離が大きいために、オゾン発生器４でなされる放電が電装部６に悪影響を与える虞も少なくすることができる。
【００３０】
図４は、本発明の他の実施形態を示している。同図において、前記実施形態と同一または類似の要素には、前記実施形態と同一の符号を付している。
【００３１】
図４に示す実施形態においては、オゾン発生器４がチューブ４６（本発明でいう第２のチューブの一例に相当）を有している。このチューブ４６の基端部は、前記実施形態の空気流入口４１に相当する開口部に接続されており、このチューブ４６の先端開口が、空気流入口４１Ａとなっている。このチューブ４６は、ケーシング１の外部に引き出されて、浴室の壁部９０に設けられた開口部９９に通されており、このことにより空気流入口４１Ａは屋外（開口部９９内も含む）に配置されている。開口部９９は、たとえば浴室暖房機Ａの電源用ハーネスや熱交換器２への湯水供給用のパイプなどを通すのに利用される開口部である。好ましくは、空気流入口４１Ａの先端部には、雨水、ダスト類、あるいは虫などの進入を防ぐためのフィルタが設けられている（フィルタを設ける点は、前記実施形態の空気流入口４１についても同様である）。
【００３２】
本実施形態においては、屋外の空気をオゾン発生器４のオゾン生成部４０ａに供給させて、オゾンを発生させることができる。浴室内は高湿度になる場合が多く、オゾン生成部４０ａの構造や、電極の材質如何によっては、湿気を大量に含んだ空気がオゾン生成部４０ａに送り込まれることをなるべく避けたい場合もある。本実施形態においては、そのような要望に的確に応えることができる。
【００３３】
本発明は、上述した実施形態の内容に限定されない。本発明に係るオゾン発生器を備えた空調機の各部の具体的な構成は、種々に設計変更自在である。
【００３４】
オゾン発生器のオゾン流出口は、必ずしもチューブを用いて形成されていなくてもよい。たとえば、図３を参照して説明すると、オゾン発生器４の本体部４０を浴室暖房機の通気路に隣接して設けることができる場合には、チューブ４５を無くして、開口部４４をオゾン流出口とし、このオゾン流出口が形成されている部分を通気路の隔壁に貫通させることによって浴室暖房機の通気路に配置させてもよい。なお、本発明でいうチューブは、その具体的な材質や可撓性の有無を問わない。
【００３５】
本発明でいう空調機は、壁掛け型の浴室暖房機に限らず、天井設置型の浴室暖房機でもよいことは勿論のこと、浴室以外の場所に設置される空調機として構成することもできる。本発明でいう調整手段は、内部に湯水が流通される暖房用の熱交換器に限らず、冷房用、あるいは暖房と冷房との兼用の熱交換器とすることもできる。また、電熱式ヒータなどを用いることもできる。
【図面の簡単な説明】
【００３６】
【図１】本発明が適用されたオゾン発生器を備えた浴室暖房機の一例を示す概略側面断面図である。
【図２】図１の概略正面断面図である。
【図３】オゾン発生器の一例を示す一部断面側面図である。
【図４】本発明の他の例を示す概略断面図である。
【符号の説明】
【００３７】
Ａ        浴室暖房機（空調機）
Ｍ        モータ（ファンの）
１        ケーシング
２        熱交換器（調整手段）
３        ファン
４        オゾン発生器
５        通気路
６        電装部
４０      本体部（オゾン発生器の）
４１，４１Ａ    空気流入口（オゾン発生器の）
４２      オゾン流出口
４５      チューブ（第１のチューブ）
４６      チューブ（第２のチューブ）
５０      吸気口
５３ａ    吹出口
【図１】
2009047386.tif 000003
【図２】
2009047386.tif 000004
【図３】
2009047386.tif 000005
【図４】
2009047386.tif 000006